(57)【特許請求の範囲】
【請求項１】
噴射口から内容物を噴射するエアゾール噴射装置に取り付けられ、少なくとも、排水栓を有する洗面台の排水管を含む各種の排水管内にエアゾール噴射装置の内容物を噴射可能とするアダプタであって、
エアゾール噴射装置に一端部が取り付けられる取付部材と、
前記取付部材の他端部に取り付けられる先端部材と、を備え、
前記先端部材は、先端側に向かって縮径するよう形成された挿入部を有し、
前記挿入部は、先端の外径よりも大きい内径の排水管に挿入可能であり、かつ、先端面に排水栓を収納可能な凹部が形成されており、
エアゾール噴射装置の噴射口と連通する貫通孔が前記凹部に形成されている、エアゾール噴射装置用アダプタ。
【請求項２】
前記先端部材は、前記挿入部の先端外周縁部から上方に延びるとともに外方に向かって広がる先端当接部をさらに有する、請求項１に記載のエアゾール噴射装置用アダプタ。
【請求項３】
前記先端部材は、前記貫通孔が前記凹部の底面に形成されており、前記貫通孔の上方に形成された衝突壁をさらに有する、請求項１又は２に記載のエアゾール噴射装置用アダプタ。
【請求項４】
前記先端部材は、前記取付部材と別体に形成され、前記取付部材に対して回転可能であり、
前記先端部材を前記取付部材に対して回転させることで、内容物の噴射を防止するようにエアゾール噴射装置をロック状態とするロック位置と、前記ロック状態を解除する解除位置とに切り替え可能である、請求項１〜３のいずれかに記載のエアゾール噴射装置用アダプタ。
【請求項５】
前記挿入部は、円錐台状に形成されている、請求項１〜４のいずれかに記載のエアゾール噴射装置用アダプタ。
【請求項６】
前記凹部は、深さが１２〜２０ｍｍであり、内径が３０〜７０ｍｍである、請求項１〜５のいずれかに記載のエアゾール噴射装置用アダプタ。
【請求項７】
請求項１〜６のいずれかに記載のエアゾール噴射装置用アダプタが装着された、エアゾール噴射装置。
【請求項８】
内容物を噴射可能な状態において、全長が１８０mm以下である、請求項７に記載のエアゾール噴射装置。
【請求項９】
排水管内を洗浄するよう、洗浄成分を有する内容物を噴射する、請求項７又は８に記載のエアゾール噴射装置。
【発明の詳細な説明】
【技術分野】
【０００１】
本発明は、エアゾール噴射装置用アダプタ及びエアゾール噴射装置に関するものである。
【背景技術】
【０００２】
従来、台所や浴槽などの排水管内の汚れは、先端にブラシなどが形成された長尺のワイヤーを排水管内に挿入して汚れを直接こすり落とすことで除去していたが、この方法では非常に手間が掛かるためにより容易に排水管内の汚れを除去できる方法が要望されていた。これに対して、排水管の汚れを容易に除去する方法としてエアゾールを利用する方法が提案されている（例えば、特許文献１参照）。この方法は、例えば、特許文献１に開示しているように、キャップが排水口の内径よりも大きい半球体状に形成されており、この半球体状のキャップを排水管の排水口に当接させることで、洗浄成分を有する内容物を排水管内に噴射して排水管内の汚れを除去している。
【特許文献１】実開昭５７−５１７７５号公報
【発明の開示】
【発明が解決しようとする課題】
【０００３】
ところで、一般的に家庭に設置されている洗面台には、排水口を閉鎖して水を貯めることができるよう排水栓が設置されている。この排水栓は不使用時には排水口の上方に位置している一方、水を貯めるときには排水栓は下降して排水口を栓するように構成されている（例えば、実開平６−３１８３号公報の図２参照）。しかしながら、上述した半球状のキャップを備えたエアゾール噴射装置では、このような洗面台に対しては使用することができず使用対象が限定されている。
【０００４】
そこで、本発明は、種々の対象、例えば、洗面台や、台所の流し台、浴槽などの排水管に内容物を噴射可能なエアゾール噴射装置用アダプタ、エアゾール噴射装置を提供することを課題とする。
【課題を解決するための手段】
【０００５】
本発明に係るエアゾール容器用アダプタは、上記課題を解決するためになされたものであり、噴射口から内容物を噴射するエアゾール噴射装置に取り付けられ、少なくとも、排水栓を有する洗面台の排水管を含む各種の排水管内にエアゾール噴射装置の内容物を噴射可能とするアダプタであって、エアゾール噴射装置に一端部が取り付けられる取付部材と、前記取付部材の他端部に取り付けられる先端部材と、を備え、前記先端部材は、先端側に向かって縮径するよう形成された挿入部を有し、前記挿入部は、先端の外径よりも大きい内径の排水管に挿入可能であり、かつ、先端面に排水栓を収納可能な凹部が形成されており、エアゾール噴射装置の噴射口と連通する貫通孔が前記凹部に形成されている。
【０００６】
上記エアゾール噴射装置用アダプタによれば、排水栓を収納可能な凹部が形成された挿入部を有する先端部材を備えているため、まず、排水栓を有する洗面台に使用する際は、排水栓を挿入部の凹部内に収納するとともに、挿入部の先端面を洗面台の排水口周辺と当接させることで、内容物を外部に漏らすことなく洗面台の排水管内に送り込むことができる。また、挿入部は先端側に向かって縮径するよう形成されているため、この挿入部の最小外径を浴槽の排水口の内径よりも小さくするとともに、最大外径を排水口の内径よりも大きくすることにより、先端部材の挿入部によって浴槽の排水口を密栓することができるため、凹部の貫通孔から噴射される内容物を外部に漏らすことなく排水管内に送り込むことができる。さらには、図１１に示すように、台所の流し台の排水口は底面から溜水筒が上方に延びておりこの溜水筒が排水管へとつながっているが、一般的に溜水筒の外径は洗面台の排水栓の外径よりも小さいため、先端部材の挿入部の凹部内に溜水筒の上部を収納しつつ、凹部の底面で溜水筒の上端を密閉することができ、この結果、内容物を外部に漏らすことなく流し台の排水管内に送り込むことができる。なお、上記「排水栓」とは、不使用時には洗面台の排水口の上方に位置しており、洗面台に水を貯めるときには下降して排水口を密栓するような上下動可能に設置された排水栓のことをいう。
【０００７】
上記エアゾール噴射用アダプタは種々の構成をとることができるが、例えば、上記先端部材は、挿入部の先端外周縁部から上方に延びるとともに外方に向かって広がる先端当接部をさらに有していることが好ましい。これにより、より先端部材を密着させて、内容物が外部に漏出することを抑制することができる。
【０００８】
また、上記先端部材は、貫通孔が凹部の底面に形成されており、貫通孔の上方に形成された衝突壁をさらに有していることが好ましい。このように貫通孔の上方に衝突壁を設けることで、誤って人の顔などに向けて噴射させてしまった場合であっても、ステムの噴射口から噴射された内容物は貫通孔を出た後、一旦衝突壁に衝突するため、人の顔などに直接噴射されることを防止することができる。
【０００９】
また、上記先端部材を取付部材と別体に形成して取付部材に対して回転可能とし、先端部材を取付部材に対して回転させることで、内容物の噴射を防止するようにエアゾール噴射装置をロック状態とするロック位置と、ロック状態を解除する解除位置とに切り替え可能とすることが好ましい。このように先端部材を回転させてロック位置と解除位置とに切り替え可能にすることによって、内容物の誤射を防止することができる。
【００１０】
また、上記挿入部は、円錐台形状とすることで、排水管に挿入部の外壁が接触する際、接触面が直線となるため、どの位置で接触しても均一な力で接触する事が可能となるので、円錐台状に形成されていることが好ましい。
【００１１】
また上記凹部は、深さが１２〜２０ｍｍであり、内径が３０〜７０ｍｍことが好ましく、深さが１５〜１７ｍｍであり、内径が４５〜５０ｍｍであることがより好ましい。このような大きさは、一般的に洗面台に設置されている排水栓を収容できるような大きさであればよい。
【００１２】
また、本発明に係るエアゾール噴射装置は、上記いずれかのエアゾール噴射装置用アダプタが装着されている。このように、本発明に係るエアゾール噴射装置は、上記いずれかのエアゾール噴射装置用アダプタが装着されているので、種々の排水管を洗浄することができる。
【００１３】
このエアゾール噴射装置は種々の構成をとることができるが、例えば、このエアゾール噴射装置が内容物を噴射可能な状態において、その全長を１８０mm以下とすることが好ましい。洗面台などは、通常、排水口の上方に水道の蛇口部分が配置されているが、エアゾール噴射装置の全長を１８０ｍｍ以下とすることによって、エアゾール噴射装置を排水口にセットしたときに、水道蛇口と干渉せずにエアゾール噴射装置を使用することができる。
【００１４】
また、排水管内を洗浄するよう、洗浄成分を有する内容物を噴射するようなエアゾール噴射装置とすることもできる。
【発明の効果】
【００１５】
以上説明したように、本発明によれば、種々の対象、例えば、洗面台や台所の流し台、浴槽などの排水管に内容物を噴射可能なエアゾール噴射装置用アダプタ及びエアゾール噴射装置を提供することができる。
【発明を実施するための最良の形態】
【００１６】
以下、本発明に係るエアゾール噴射装置用アダプタ及びこれを装着したエアゾール噴射装置の実施形態について図面を参照しつつ説明する。図１はエアゾール噴射装置用アダプタを装着したエアゾール噴射装置の斜視図、図２はエアゾール噴射装置用アダプタを装着したエアゾール噴射装置の正面図、図３は図２のＡ−Ａ線断面図、図４はエアゾール噴射装置用アダプタを装着したエアゾール噴射装置の側面図、図５は図４のＢ−Ｂ線断面図、図６は貫通孔周辺の詳細を示す拡大図、図７はエアゾール噴射装置用アダプタを装着したエアゾール噴射装置の平面図である。なお、図１〜図５において、エアゾール噴射装置用アダプタは全てロック位置にある。
【００１７】
図１から図５に示すように、エアゾール噴射装置１は、エアゾール容器２と、エアゾール容器２の先端である上端から延びるステム３とを備えており、上端側にエアゾール噴射装置用アダプタ４が装着されている。このエアゾール噴射装置１の全長は、好ましくは１８０ｍｍ以下である。
【００１８】
エアゾール容器２は、略円筒状の耐圧容器として形成されており、その内部には、洗浄成分を含む原液と、液化ガス又は圧縮ガスからなる噴射剤とからなる内容物が封入されている。詳細な図示は省略しているが、エアゾール容器２は、上端及び下端が開口している外筒２１を備えており、この外筒２１の下端開口部は底部材２２によって閉鎖され、上端開口部は、中央部が開口したマウンティングキャップ２３及びマウンティングキャップ２３の中央開口部を閉鎖するトップドーム２４によって閉鎖されている。なお、外筒２１の下端縁部と底部材２２の外周縁部とが巻締め部２２１を形成するとともに、外筒２１の上端縁部とマウンティングキャップ２３の外周縁部とで巻締め部２３１を形成している。これらエアゾール容器２を構成する材料としては、内部に封入した内容物による内圧に耐えられるものであればよく、好ましくはブリキなどの金属に内面コーティングしたものを使用する。
【００１９】
ステム３は円筒状に形成されておりその上端開口を噴射口３１としている。このステム３は、エアゾール容器２の内部においてマウンティングキャップ２３に取り付けられたバルブ（図示省略）に連結されており、マウンティングキャップ２３に対して上下動可能に設置されている。このステム３及びバルブの構成は、周知の構成を採用することができ、例えば、ステム３をエアゾール容器２内に押し込むことによってバルブが開放されてエアゾール容器２の内部圧力によりステム３の噴射口３１を介して内容物が噴射される一方、ステム３を放すとスプリングの付勢力によりステム３が元の状態まで移動してバルブが閉じられるように構成することができる。
【００２０】
このように構成されたエアゾール噴射装置１にはエアゾール噴射装置用アダプタ４が装着されている。このエアゾール噴射装置用アダプタ４は、取付部材５と先端部材６とを有している。
【００２１】
取付部材５は、下端部（一端部）がエアゾール容器２の上端側の巻締め部２３１に取り付けられている。この取付部材５は円筒状であって、その内壁面の下端部に環状の突起部５１が形成されており、この突起部５１によってエアゾール容器２の巻締め部２３１と係合するように構成されている。また、取付部材５の内壁面の上端部にも環状の突起部５２が形成されており、この突起部５２が後述する先端部材６のガイド部６１の突起部６１１と係合することによって、先端部材６を取り付け部材５を介してエアゾール噴射装置１に固定している。また、図４に示すように、取付部材５には、上端から上方に延びる第１の突出部５３及び第２の突出部５４が形成されている。この第１の突出部５３と第２の突出部５４とは高さが異なる（第１の突出部５３の方が第２の突出部５４よりも高い）ため、境界部分に段差部５５が形成されている。
【００２２】
先端部材６は、上記取付部材５の上端部（他端部）に取り付けられており、取付部材５を介してエアゾール噴射装置１に取り付けられている。この先端部材６は、円筒状のガイド部６１と、上端側に向かって径が小さくなるような円錐台状の挿入部６２と、挿入部６２の上端外周縁部から上方に向かって径が大きくなるように延びる先端当接部６３とを備えている。
【００２３】
円筒状のガイド部６１は、上記取付部材５の内径よりも小さい外径を有しており、その下部が取付部材５の内部に挿入されている。このガイド部６１の側面下部には環状の突起部６１１が部分的に形成されており、この突起部６１１が上述した取付部材５の突起部５２と係合することによって、先端部材６が取付部材５から抜けるのを防止している。
【００２４】
円錐台状の挿入部６２は、ガイド部６１の上端に一体的に連結されており、挿入部６２の下端はガイド部６１の外径よりも大きく形成されている。この挿入部６２の大きさは、原則として、後述するように浴槽の排水口を密栓できるような大きさに形成されており、挿入部６２の上端の外径は浴槽排水口の内径よりも小さく形成され、挿入部６２の下端の外径は浴槽排水口よりも大きく形成されている。具体的には、浴槽の排水口は大きいものでその内径が５５mm程度であるので、挿入部６２の下端の外径は２５〜８０ｍｍであることが好ましく、５０〜５５ｍｍであることがより好ましい。なお、浴槽の排水口は種々の大きさに形成されているため、浴槽の排水口の内径よりも挿入部６２の上端の外径の方が大きい場合がある。この場合は、挿入部６２で浴槽の排水口を密栓できないので、後述する先端当接部６３を排水口の周辺に当接させて密閉する。また、図４に示すように、挿入部６２の下端からは第１の突出部６２１及び第２の突出部６２２が下方に延びている。この第１の突出部６２１と第２の突出部６２２とはその下方へ延びる長さが異なる（第１の突出部６２１よりも第２の突出部６２２の方が長い）ため、境界部には段差部６２３が形成されている。この段差部６２３の大きさは、上述した取付部材５の段差部５５とほぼ同じ大きさに形成されている。
【００２５】
挿入部６２の上端面には凹部６４が形成されている。この凹部６４は、後述するように洗面台の排水栓が収容できる程度の大きさに形成されていればよい。具体的には、洗面台の排水栓は大きいもので高さが１５mm程度、外径が４５mm程度あるので、凹部６４は、深さが１２〜２０ｍｍであり、内径が３０〜７０ｍｍであることが好ましく、深さが１５〜１７ｍｍであり、内径が４５〜５０ｍｍであることがより好ましい。この凹部６４の底面６５中央部には、図６に詳細を示すように、貫通孔６６が形成されている。また、底面６５の裏面には、貫通孔６６の周囲から下方に延びるガイド筒６７が形成されており、ステム３の噴射口３１から噴射された内容物は、ガイド筒６７を介して貫通孔６６から噴射されるように構成されている。このように貫通孔６６から噴射された内容物が誤って人の顔などにそのままの勢いで直接噴射されるのを防ぐ目的で、貫通孔６６の上方に衝突壁６８が形成されている。
【００２６】
上述した挿入部６２の上端から上方に延びるよう先端当接部６３が形成されている。この先端当接部６３は、挿入部６２の上端外周縁部から上方に直立に延びる直立部６３１と、この直立部６３１の上端から上方かつ外方に向かって延びる傾斜部６３２とから構成されている。この傾斜部６３２は薄肉状に形成されており、僅かに弾性変形するため、当接する対象物に密着しやすいような構成となっている。
【００２７】
次に上述したように構成されたエアゾール噴射装置１の使用方法について図面を参照しつつ説明する。なお、図８はエアゾール噴射装置のロック状態を解除したエアゾール噴射装置用アダプタを装着したエアゾール噴射装置の側面図、図９はエアゾール噴射装置用アダプタを装着したエアゾール噴射装置を洗面台に使用した状態を示す説明図、図１０は浴槽に使用した状態を示す説明図、図１２は台所の流し台に使用した状態を示す説明図である。
【００２８】
まず、エアゾール噴射装置１を使用しないときは、内容物が誤って噴射してしまうのを防止するために、先端部材６を図１の時計回りに回転させてロック位置に保持しておく（図１〜図５参照）。このロック位置とは、図４に明確に示すように、挿入部６２の第１及び第２の突出部６２１，６２２が、取付部材５の第１及び第２の突出部５３，５４と対向する位置のことである。このように挿入部６２と取付部材５との各突出部とが対向するロック位置とすることで、先端部材６がエアゾール噴射装置１から離れた状態で保持され先端部材６を押し下げても移動しないため、ステム３がエアゾール容器２内に押し下げられて内容物が噴射されることがないようにエアゾール噴射装置１はロック状態となっている。また、挿入部６２の第１及び第２の突出部６２１，６２２により画定される段差部６２３と、取付部材５の第１及び第２の突出部５３，５４により画定される段差部５５とが互いに係合し合うことで、先端部材６はロック位置からさらに時計回りには回転しないようになっている。
【００２９】
次にエアゾール噴射装置１のロック状態を解除して内容物を噴射する方法について説明する。まず、先端部材６を図１の反時計回りに回転させて、図８に示すように解除位置にする。この解除位置とは、挿入部６２の第１及び第２の突出部６２１，６２２が、取付部材５の第１及び第２の突出部５３，５４と対向しない位置のことである。このように先端部材６を解除位置まで回転させると、先端部材６を押し下げることができるため、先端部材６を押し下げることでガイド筒６７でステム３を押し下げて内容物を噴射させることが可能となりエアゾール噴射装置１のロック状態を解除することができる。
【００３０】
続いて、上述したように先端部材６を解除位置まで回転させた状態でエアゾール噴射装置１の内容物を噴射して各種排水管の汚れを除去する方法について説明する。
【００３１】
まず、図９に示すように、排水栓１１が設置された洗面台１０の排水管１２を洗浄する場合について説明する。まず、エアゾール噴射装置１を逆さに向け、先端部材６の凹部６４内に排水栓１１を収容するとともに先端当接部６３を排水口周辺に通常設けられている平坦部１３に当接させる。この状態で、エアゾール容器２を下方に押し下げることで、先端部材６のガイド筒６７がステム３を押圧してステム３がエアゾール容器２内に押し込まれる。これによりバルブ（図示省略）が開いて内部に封入されている洗浄成分を含む内容物がステム３の噴射口３１から噴射される。ステム３の噴射口３１から噴射された内容物は、貫通孔６６を通過し、一旦衝突壁６８に衝突して外方に向かうよう進行方向を変えて凹部６４内に進む。先端当接部６３が平坦部１３と当接しているため、凹部６４内に進んだ内容物は、外部に漏れることなく凹部６４内から排水管１２内に進み、排水管１２の内壁に付着した汚れを落とすことができる。
【００３２】
次に、図１０に示すように、浴槽２０の排水管２１を洗浄する場合について説明する。まず、エアゾール噴射装置１を逆さに向け、浴槽２０の排水口２２内に先端部材６の挿入部６２を挿入する。すると、挿入部６２の最大外径は、一般的な浴槽２０の排水口２２よりも大きく形成されているため、先端部材６の挿入部６２によって浴槽２０の排水口２２を密栓するような状態となる。この状態からさらにエアゾール容器２を下方に押し下げることで、上述したようにステム３がエアゾール容器２内に押し込まれてステム３の噴射口３１から内容物が噴射され、この内容物が貫通孔６６、凹部６４を介して排水管２１内に進み、排水管２１の内壁に付着した汚れを落とすことができる。なお、上記実施形態では、浴槽２０の排水口２２は先端部材６の挿入部６２の最小外径よりも大きく形成されているが、浴槽２０の排水口２２の内径が挿入部６２の最小外径よりも小さい場合もある。この場合は、先端当接部６３を排水口２２周辺の平坦部２４に当接することで密閉することができる。
【００３３】
続いて、台所の流し台の排水管を洗浄する場合について説明する。流し台の排水口３０は、一般的に図１１に示すような構造をとっており、底面から円筒状の溜水筒３１が上方に延びており、この溜水筒３１の周りには水が張られており、この溜水筒３１の上方を覆うように水封椀３２が配置されている。このような構造をした排水口３０の排水管３３を洗浄する場合は、まず、水封椀３２を取り出し、図１２に示すように、エアゾール噴射装置１を逆さにして先端部材６の凹部６４の底面６５に溜水筒３１の上端を当接させる。そして、エアゾール容器２を押し下げることで、上述したように内容物を排水管３３内に噴射して排水管３３の内壁に付着した汚れを洗浄することができる。
【００３４】
以上、本実施形態によれば、エアゾール噴射装置用アダプタ４の挿入部６２の上端に凹部６４が形成されているため、排水栓１１が設置された洗面台１０の排水管１２も洗浄することができるとともに、浴槽２０の排水管２１や、台所の流し台の排水管３３も洗浄することができる。
【００３５】
以上、本発明の実施形態について説明したが、本発明はこれらに限定されるものではなく、本発明の趣旨を逸脱しない限りにおいて種々の変更が可能である。例えば、上記実施形態では、先端当接部６３は挿入部６２の上端から形成された直立部６３１及び傾斜部６３２から構成されていたが、これを簡略化して図１３に示すように挿入部６２の上端を先端当接部６３とすることもできる。
【００３６】
また、図１４に示すように、先端部材６の回転を容易にするため、挿入部６２の第１及び第２の突出部６２１、６２２に複数の溝などによりグリップ部を形成してもよい。
【００３７】
また、上記実施形態では貫通孔６６を凹部６４の底面６５中央部に形成しているが、特に限定されるものではなく、例えば、凹部６４の側壁に貫通孔を形成し、ステム３の噴射口３１と連通するように繋げてもよい。こうすることにより、衝突壁６７を形成しなくても、誤って人の顔などに直接内容物が噴射されることを防止することができる。
【００３８】
また、上記実施形態では貫通孔６６の上方に衝突壁６８を設けていたが、これを省略することもできる。なおこの場合は誤って内容物が噴射されてしまうのを防止するためにキャップなどを設けておくことが好ましい。
【００３９】
また、上記実施形態では、エアゾール容器２内には、洗浄成分を含む原液と、液化ガス又は圧縮ガスからなる噴射剤とからなる内容物が封入されていたが、内容物は特にこれに限定されるものではなく、例えば、洗浄成分を含む原液の代わりに、除菌剤や消臭薬剤、芳香薬剤、漂白剤などをエアゾール容器２内に封入することもできる。
【００４０】
また、上記実施形態では、先端部材６の挿入部６２は円錐台状に形成されているが、この挿入部６２の形状は先端側に向かって径が小さくなるように形成されていればよく、例えば、図１５に示すように、挿入部６２の側面が内方に向かって湾曲していてもよいし、これとは逆に図１６に示すように、挿入部６２の側面が外方に向かって湾曲していてもよい。
【図面の簡単な説明】
【００４１】
【図１】本発明に係るエアゾール噴射装置用アダプタを装着したエアゾール噴射装置の実施形態を示す斜視図である。
【図２】本発明に係るエアゾール噴射装置用アダプタを装着したエアゾール噴射装置の実施形態を示す正面図である。
【図３】図２のＡ−Ａ線断面図である。
【図４】本発明に係るエアゾール噴射装置用アダプタを装着したエアゾール噴射装置の実施形態を示す側面図である。
【図５】図４のＢ−Ｂ線断面図である。
【図６】本実施形態に係る貫通孔周辺の詳細を示す拡大図である。
【図７】本発明に係るエアゾール噴射装置用アダプタを装着したエアゾール噴射装置の実施形態を示す平面図である。
【図８】本発明に係るエアゾール噴射装置用アダプタを装着したエアゾール噴射装置のロック状態が解除された状態の実施形態を示す正面図である。
【図９】本実施形態に係るエアゾール噴射装置用アダプタを装着したエアゾール噴射装置の使用方法を示す説明図である。
【図１０】本実施形態に係るエアゾール噴射装置用アダプタを装着したエアゾール噴射装置の他の使用方法を示す説明図である。
【図１１】本実施形態に係る流し台の排水口の詳細を示す正面断面図である。
【図１２】本実施形態に係るエアゾール噴射装置用アダプタを装着したエアゾール噴射装置のさらに他の使用方法を示す説明図である。
【図１３】本発明に係るエアゾール噴射装置用アダプタを装着したエアゾール噴射装置の他の実施形態を示す側面断面図である。
【図１４】本発明に係るエアゾール噴射装置用アダプタを装着したエアゾール噴射装置のさらに他の実施形態を示す側面図である。
【図１５】本発明に係るエアゾール噴射装置用アダプタを装着したエアゾール噴射装置のさらに他の実施形態を示す側面図である。
【図１６】本発明に係るエアゾール噴射装置用アダプタを装着したエアゾール噴射装置のさらに他の実施形態を示す側面図である。
【符号の説明】
【００４２】
１  エアゾール噴射装置
３１  噴射口
４  エアゾール噴射装置用アダプタ
５  取付部材
６  先端部材
６２  挿入部
６４  凹部
６６  貫通孔
【図１】
0005448357.tif 000002
【図２】
0005448357.tif 000003
【図３】
0005448357.tif 000004
【図４】
0005448357.tif 000005
【図５】
0005448357.tif 000006
【図６】
0005448357.tif 000007
【図７】
0005448357.tif 000008
【図８】
0005448357.tif 000009
【図９】
0005448357.tif 000010
【図１０】
0005448357.tif 000011
【図１１】
0005448357.tif 000012
【図１２】
0005448357.tif 000013
【図１３】
0005448357.tif 000014
【図１４】
0005448357.tif 000015
【図１５】
0005448357.tif 000016
【図１６】
0005448357.tif 000017